(57)【要約】【課題】収集タイミングの異なる複数の画像の関係を容易に把握可能なＸ線ＣＴ装置を提供する。【解決手段】実施形態に係るＸ線ＣＴ装置は、収集部、取得部、画像形成部、生成部、表示部、制御部を有する。収集部は、被検体の所定部位を反復的にＸ線でスキャンしてデータを連続的に収集する。取得部は、データの収集タイミングを示す情報を複数取得する。画像形成部は、第１の収集タイミングで収集された第１のデータを第１の再構成条件で再構成して第１の画像を形成し、第２の収集タイミングで収集された第２のデータを第２の再構成条件で再構成して第２の画像を形成する。生成部は、収集されたデータに基づいて、第１の画像と第２の画像との間の位置関係を表す位置関係情報を生成する。制御部は、位置関係情報、第１及び第２の収集タイミングを示す情報に基づいて、第１の画像と第２の画像とを表示部に表示させる。【選択図】図１
2013172793.tif 000002
【特許請求の範囲】
【請求項１】
被検体の所定部位を反復的にＸ線でスキャンしてデータを連続的に収集する収集部と、
連続的に収集されるデータについて、データの収集タイミングを示す情報を複数取得する取得部と、
連続的に収集されたデータのうち第１の収集タイミングで収集された第１のデータを第１の再構成条件で再構成して第１の画像を形成し、かつ、第２の収集タイミングで収集された第２のデータを第２の再構成条件で再構成して第２の画像を形成する画像形成部と、
連続的に収集されたデータに基づいて、前記第１の画像と前記第２の画像との間の位置関係を表す位置関係情報を生成する生成部と、
前記位置関係情報、前記第１の収集タイミングを示す情報及び前記第２の収集タイミングを示す情報に基づいて、前記第１の画像と前記第２の画像とを表示部に表示させる制御部と
を有するＸ線ＣＴ装置。
【請求項２】
前記画像形成部は、
連続的に収集されたデータに前処理を施して投影データを生成する前処理部と、
前記投影データに対して前記第１の再構成条件に基づく再構成処理を施して第１のボリュームデータを生成し、かつ、前記投影データに対して前記第２の再構成条件に基づく再構成処理を施して第２のボリュームデータを生成する再構成処理部と、
前記第１のボリュームデータにレンダリング処理を施して前記第１の画像を形成し、かつ、前記第２のボリュームデータにレンダリング処理を施して前記第２の画像を形成するレンダリング処理部と
を含み、
前記生成部は、前記投影データに基づいて前記位置関係情報を生成する
ことを特徴とする請求項１に記載のＸ線ＣＴ装置。
【請求項３】
前記制御部は、前記収集部によるデータの連続的な収集における複数の収集タイミングを示す時系列情報を前記表示部に表示させ、かつ、前記時系列情報に基づき前記第１の収集タイミング及び前記第２の収集タイミングのそれぞれを提示することを特徴とする請求項１又は請求項２に記載のＸ線ＣＴ装置。
【請求項４】
前記制御部は、時間軸を示す時間軸画像を前記時系列情報として表示させ、かつ、前記第１の収集タイミング及び前記第２の収集タイミングのそれぞれに対応する前記時間軸画像上の座標位置を提示することを特徴とする請求項３に記載のＸ線ＣＴ装置。
【請求項５】
前記制御部は、スキャン対象の臓器の運動における時相を示す時相情報を前記時系列情報として表示させ、かつ、前記第１の収集タイミング及び前記第２の収集タイミングのそれぞれに対応する時相を示す時相情報を提示することを特徴とする請求項３に記載のＸ線ＣＴ装置。
【請求項６】
前記被検体に造影剤を投与してスキャンを行う場合において、前記制御部は、造影タイミングを示す造影情報を前記時系列情報として表示させ、かつ、前記第１の収集タイミング及び前記第２の収集タイミングのそれぞれに対応する造影タイミングを示す造影情報を提示することを特徴とする請求項３に記載のＸ線ＣＴ装置。
【請求項７】
前記時系列情報に示す１以上の収集タイミングが操作部を用いて指定されたときに、前記制御部は、指定された各収集タイミングで収集されたデータを基に前記画像形成部により形成された画像を前記表示部に表示させる
ことを特徴とする請求項３〜請求項６のいずれか一項に記載のＸ線ＣＴ装置。
【請求項８】
前記時系列情報中の１以上の収集タイミングが操作部を用いて指定されたときに、前記制御部は、指定された各収集タイミングで収集されたデータを基に前記画像形成部により形成された画像のサムネイルを前記表示部に表示させる
ことを特徴とする請求項３〜請求項６のいずれか一項に記載のＸ線ＣＴ装置。
【請求項９】
前記第１の再構成条件及び前記第２の再構成条件は、互いに重複するＦＯＶ（ｆｉｅｌｄ  ｏｆ  ｖｉｅｗ）を条件項目として含み、
前記画像形成部は、前記第１の画像として、時系列に沿う複数の画像を形成し、
前記制御部は、前記互いに重複するＦＯＶに基づいて、前記複数の画像に基づく動画像と前記第２の画像とを重ねて表示させる
ことを特徴とする請求項１〜請求項８のいずれか一項に記載のＸ線ＣＴ装置。
【請求項１０】
前記制御部は、前記動画像を表示させるための前記複数の画像の切り替え表示に同期させて、前記複数の画像に対応する複数の収集タイミングを示す情報を切り替え表示させることを特徴とする請求項９に記載のＸ線ＣＴ装置。
【請求項１１】
前記第１の再構成条件及び前記第２の再構成条件は、互いに重複するＦＯＶ（ｆｉｅｌｄ  ｏｆ  ｖｉｅｗ）を条件項目として含み、
前記制御部は、前記第１の画像に代えてそのＦＯＶを表すＦＯＶ画像を、前記第２の画像に重ねて表示させる
ことを特徴とする請求項１〜請求項８のいずれか一項に記載のＸ線ＣＴ装置。
【請求項１２】
操作部を用いて前記ＦＯＶ画像が指定されたときに、前記制御部は、前記第１の画像を前記表示部に表示させる
ことを特徴とする請求項１１に記載のＸ線ＣＴ装置。
【請求項１３】
前記操作部を用いて前記ＦＯＶ画像が指定されたときに、前記制御部は、前記第２の画像から前記第１の画像に切り替え表示する第１の表示制御、前記第１の画像及び前記第２の画像を並列表示させる第２の表示制御、及び、前記第１の画像及び前記第２の画像を重畳表示させる第３の表示制御のうちのいずれかを実行する
ことを特徴とする請求項１２に記載のＸ線ＣＴ装置。
【請求項１４】
前記表示部に前記第２の画像が表示されているときに操作部が操作されたことに対応し、前記制御部は、前記ＦＯＶ画像を前記第２の画像に重ねて表示させる
ことを特徴とする請求項１１に記載のＸ線ＣＴ装置。
【請求項１５】
前記画像形成部は、ＦＯＶの条件項目の設定内容として最大ＦＯＶを含む第３の再構成条件で再構成を行なうことにより第３の画像を形成し、
前記制御部は、前記第１の画像及び前記第２の画像の表示に代えて、前記第１の画像のＦＯＶ画像及び前記第２の画像のＦＯＶ画像を前記第３の画像に重ねて表示させる
ことを特徴とする請求項１１〜請求項１４のいずれか一項に記載のＸ線ＣＴ装置。
【請求項１６】
前記制御部は、前記第１の再構成条件及び前記第２の再構成条件に含まれる１以上の条件項目の設定内容を前記表示部に表示させる
ことを特徴とする請求項１〜請求項１５のいずれか一項に記載のＸ線ＣＴ装置。
【請求項１７】
前記制御部は、前記第１の再構成条件及び前記第２の再構成条件の間において設定内容が互いに異なる条件項目がある場合に、当該条件項目の設定内容を他の条件項目の設定内容と異なる態様で表示させる
ことを特徴とする請求項１６に記載のＸ線ＣＴ装置。
【発明の詳細な説明】
【技術分野】
【０００１】
この発明の実施形態はＸ線ＣＴ装置に関する。
【背景技術】
【０００２】
Ｘ線ＣＴ（Ｃｏｍｐｕｔｅｄ  Ｔｏｍｏｇｒａｐｈｙ）装置は、被検体をＸ線でスキャンしてデータを収集し、収集されたデータをコンピュータにより処理することで、被検体の内部を画像化する装置である。
【０００３】
具体的には、Ｘ線ＣＴ装置は、被検体に対してＸ線を異なる方向から複数回曝射し、被検体を透過したＸ線をＸ線検出器にて検出して複数の検出データを収集する。収集された検出データはデータ収集部によりＡ／Ｄ変換された後、データ処理系に送信される。データ処理系は、検出データに前処理等を施すことで投影データを形成する。続いて、データ処理系は、投影データに基づく再構成処理を実行して断層画像データを形成する。
【０００４】
また、データ処理系は、更なる再構成処理として、複数の断層画像データに基づきボリュームデータを形成する。ボリュームデータは、被検体の３次元領域に対応するＣＴ値の３次元分布を表すデータセットである。ボリュームデータを取得する場合には、多列型Ｘ線検出器を用いたボリュームスキャンが適用される。また、ボリュームスキャンを反復して行うことにより、時相の異なる複数のボリュームデータを取得することができる（４Ｄスキャン）。４Ｄスキャンによれば、心臓、肺、脳等の臓器を動画撮影することが可能である。
【０００５】
再構成処理は、任意に設定された再構成条件を適用して行われる。また、様々な再構成条件を適用して１つの投影データから複数のボリュームデータを形成することも行われている。なお、再構成条件には、ＦＯＶ（ｆｉｅｌｄ  ｏｆ  ｖｉｅｗ）、再構成関数などがある。
【０００６】
Ｘ線ＣＴ装置は、ボリュームデータを任意の方向にレンダリングすることによりＭＰＲ（Ｍｕｌｔｉ  Ｐｌａｎａｒ  Ｒｅｃｏｎｓｔｒｕｃｔｉｏｎ）表示を行うことができる。ＭＰＲ表示された断面画像（ＭＰＲ画像）には、直交３軸画像とオブリーク画像がある。直交３軸画像とは、体軸に対する直交断面を示すアキシャル像、体軸に沿って被検体を縦切りした断面を示すサジタル像、及び、体軸に沿って被検体を横切りした断面を示すコロナル像を示す。オブリーク画像は、直交３軸画像以外の断面を示す画像である。また、Ｘ線ＣＴ装置は、任意の視線を設定してボリュームデータをレンダリングすることで、この視線から被検体の３次元領域を見たときの擬似的３次元画像を形成する。
【先行技術文献】
【特許文献】
【０００７】
【特許文献１】特開２００５−９５３２８号公報
【発明の概要】
【発明が解決しようとする課題】
【０００８】
画像診断においては、様々な再構成条件のボリュームデータから得られた多数の画像（ＭＰＲ画像、擬似的３次元画像等）が参照される。これら画像は、視野の大きさ、視野の位置、断面位置等が異なっている。よって、これら画像の間の位置関係を把握しながら診断を行うことは極めて難しい。また、各画像がどのような再構成条件で得られたものか把握することも困難である。
【０００９】
特に４Ｄスキャンが適用された場合の画像診断では、再構成条件を適宜に設定しつつ、収集タイミング（時相）の異なる複数のボリュームデータを選択的にレンダリングする。したがって、画像の間の位置関係や再構成条件だけでなく、時間の要素も加わるので、画像間の関係が一層複雑になる。更に、心臓や肺のように形態が時系列的に変化する対象を撮影する場合には、収集タイミングの異なる画像の間の位置関係も極めて複雑になる。
【００１０】
実施形態は、このような問題に鑑みてなされたものであり、収集タイミングの異なる複数のボリュームデータに基づいて得られる画像の間の関係を容易に把握することが可能なＸ線ＣＴ装置を提供することを目的とする。
【課題を解決するための手段】
【００１１】
実施形態に係るＸ線ＣＴ装置は、収集部と、取得部と、画像形成部と、生成部と、表示部と、制御部とを有する。収集部は、被検体の所定部位を反復的にＸ線でスキャンしてデータを連続的に収集する。取得部は、連続的に収集されるデータについて、データの収集タイミングを示す情報を複数取得する。画像形成部は、連続的に収集されたデータのうち第１の収集タイミングで収集された第１のデータを第１の再構成条件で再構成して第１の画像を形成し、かつ、第２の収集タイミングで収集された第２のデータを第２の再構成条件で再構成して第２の画像を形成する。生成部は、連続的に収集されたデータに基づいて、第１の画像と第２の画像との間の位置関係を表す位置関係情報を生成する。制御部は、位置関係情報、第１の収集タイミングを示す情報及び第２の収集タイミングを示す情報に基づいて、第１の画像と第２の画像とを表示部に表示させる。
【図面の簡単な説明】
【００１２】
【図１】実施形態に係るＸ線ＣＴ装置の構成を表すブロック図である。
【図２】実施形態に係るＸ線ＣＴ装置の動作例を説明するための概略図である。
【図３】実施形態に係るＸ線ＣＴ装置の動作例を説明するための概略図である。
【図４】実施形態に係るＸ線ＣＴ装置の動作例を説明するための概略図である。
【図５】実施形態に係るＸ線ＣＴ装置の動作例を説明するための概略図である。
【図６】実施形態に係るＸ線ＣＴ装置の動作例を表すフローチャートである。
【図７】実施形態に係るＸ線ＣＴ装置の動作例を説明するための概略図である。
【図８】実施形態に係るＸ線ＣＴ装置の動作例を説明するための概略図である。
【図９】実施形態に係るＸ線ＣＴ装置の動作例を表すフローチャートである。
【図１０】実施形態に係るＸ線ＣＴ装置の動作例を説明するための概略図である。
【図１１Ａ】実施形態に係るＸ線ＣＴ装置の動作例を説明するための概略図である。
【図１１Ｂ】実施形態に係るＸ線ＣＴ装置の動作例を説明するための概略図である。
【図１１Ｃ】実施形態に係るＸ線ＣＴ装置の動作例を説明するための概略図である。
【図１２】実施形態に係るＸ線ＣＴ装置の動作例を表すフローチャートである。
【図１３】実施形態に係るＸ線ＣＴ装置の動作例を説明するための概略図である。
【図１４】実施形態に係るＸ線ＣＴ装置の動作例を説明するための概略図である。
【図１５】実施形態に係るＸ線ＣＴ装置の動作例を表すフローチャートである。
【図１６】実施形態に係るＸ線ＣＴ装置の動作例を説明するための概略図である。
【発明を実施するための形態】
【００１３】
実施形態に係るＸ線ＣＴ装置について図面を参照しながら説明する。
【００１４】
［構成］
図１を参照して、実施形態に係るＸ線ＣＴ装置１の構成例を説明する。以下の説明において「画像」と「画像データ」を同一視する場合がある。
【００１５】
Ｘ線ＣＴ装置１は、架台装置１０と、寝台装置３０と、コンソール装置４０とを含んで構成される。
【００１６】
（架台装置）
架台装置１０は、被検体Ｅに対してＸ線を曝射し、被検体Ｅを透過したＸ線の検出データを収集する装置である。架台装置１０は、Ｘ線発生部１１と、Ｘ線検出部１２と、回転体１３と、高電圧発生部１４と、架台駆動部１５と、Ｘ線絞り部１６と、絞り駆動部１７と、データ収集部１８とを有する。
【００１７】
Ｘ線発生部１１は、Ｘ線を発生させるＸ線管球（たとえば、円錐状や角錐状のビームを発生する真空管。図示なし）を含んで構成される。発生されたＸ線は被検体Ｅに対して曝射される。
【００１８】
Ｘ線検出部１２は、複数のＸ線検出素子（図示なし）を含んで構成される。Ｘ線検出部１２は、被検体Ｅを透過したＸ線の強度分布を示すＸ線強度分布データ（以下、「検出データ」という場合がある）をＸ線検出素子で検出し、その検出データを電流信号として出力する。
【００１９】
Ｘ線検出部１２としては、たとえば、互いに直交する２方向（スライス方向とチャンネル方向）にそれぞれ複数の検出素子が配置された２次元Ｘ線検出器（面検出器）が用いられる。複数のＸ線検出素子は、たとえば、スライス方向に沿って３２０列設けられている。このように多列のＸ線検出器を用いることにより、１回転のスキャンでスライス方向に幅を有する３次元領域を撮影することができる（ボリュームスキャン）。また、ボリュームスキャンを反復的に行うことにより、被検体の３次元領域の動画撮影を行うことができる（４Ｄスキャン）。なお、スライス方向は被検体Ｅの体軸方向に相当し、チャンネル方向はＸ線発生部１１の回転方向に相当する。
【００２０】
回転体１３は、Ｘ線発生部１１とＸ線検出部１２とを被検体Ｅを挟んで対向する位置に支持する部材である。回転体１３は、スライス方向に貫通した開口部を有する。開口部には、被検体Ｅが載置された天板が挿入される。回転体１３は、架台駆動部１５によって、被検体Ｅを中心とした円軌道に沿って回転される。
【００２１】
高電圧発生部１４は、Ｘ線発生部１１に対して高電圧を印加する。Ｘ線発生部１１は、この高電圧に基づいてＸ線を発生させる。Ｘ線絞り部１６は、スリット（開口）を形成し、このスリットのサイズ及び形状を変えることで、Ｘ線発生部１１から出力されたＸ線のファン角（チャンネル方向の広がり角）とＸ線のコーン角（スライス方向の広がり角）とを調整する。絞り駆動部１７は、Ｘ線絞り部１６を駆動して、スリットのサイズ及び形状を変更する。
【００２２】
データ収集部１８（ＤＡＳ：Ｄａｔａ  Ａｃｑｕｉｓｉｔｉｏｎ  Ｓｙｓｔｅｍ）は、Ｘ線検出部１２（各Ｘ線検出素子）からの検出データを収集する。更に、データ収集部１８は、収集された検出データ（電流信号）を電圧信号に変換し、この電圧信号を周期的に積分して増幅し、デジタル信号に変換する。そして、データ収集部１８は、デジタル信号に変換された検出データをコンソール装置４０に送信する。
【００２３】
（寝台装置）
寝台装置３０の天板（図示せず）には被検体Ｅが載置される。寝台装置３０は、天板に載置された被検体Ｅを、その体軸方向に移動させる。また、寝台装置３０は、天板を上下方向に移動させる。
【００２４】
（コンソール装置）
コンソール装置４０は、Ｘ線ＣＴ装置１に対する操作入力に用いられる。また、コンソール装置４０は、架台装置１０から入力された検出データから被検体Ｅの内部形態を表すＣＴ画像データ（断層画像データやボリュームデータ）を再構成する。コンソール装置４０は、制御部４１と、スキャン制御部４２と、処理部４３と、記憶部４４と、表示部４５と、操作部４６とを含んで構成される。
【００２５】
制御部４１、スキャン制御部４２及び処理部４３は、たとえば処理装置と記憶装置を含んで構成される。処理装置としては、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃ  Ｐｒｏｃｅｓｓｉｎｇ  Ｕｎｉｔ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）が用いられる。記憶装置は、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）を含んで構成される。記憶装置には、Ｘ線ＣＴ装置１の各部の機能を実行するためのコンピュータプログラムが記憶されている。処理装置は、これらコンピュータプログラムを実行することで、上記機能を実現する。制御部４１は、装置各部を制御する。
【００２６】
制御部４１は、表示制御部４１１と情報取得部４１２とを有する。
【００２７】
表示制御部４１１は、表示部４５を制御して各種情報を表示させる。また、表示制御部４１１は、表示処理に係る情報の加工を行うことができる。表示制御部４１１が実行する処理の内容については後述する。
【００２８】
情報取得部４１２は、４Ｄスキャンが行われるときに「取得部」として動作する。つまり、情報取得部４１２は、４Ｄスキャンにより連続的に収集される検出データについて、その収集タイミングを示す情報を取得する。
【００２９】
ここで「収集タイミング」とは、４Ｄスキャンによる連続的なデータ収集と並行して時系列的に進行する事象の発生タイミングを示す。連続的なデータ収集に含まれる各タイミングと、時系列的な事象の発生タイミングとを同期させることが可能である。たとえば、タイマーを用いて所定の時間軸を設定し、かつ、各タイミングの入力に対応する当該時間軸の座標を特定することにより両者を同期させることが可能である。
【００３０】
上記の時系列的な事象の例として、被検体Ｅの臓器の運動状態、造影状態などがある。監視対象の臓器は、たとえば心臓や肺のように、運動を伴う任意の臓器であってよい。心臓の運動は、たとえば心電図により把握される。心電図は、心電計を用いて心臓の運動状態を電気的に検出し波形として表現した情報であり、複数の心時相を時系列に沿って示している。肺の運動は、たとえば呼吸モニタを用いて取得される。呼吸モニタによれば、呼吸に関する複数の時相、つまり肺の運動に関する複数の時相を時系列に沿って取得できる。また、造影状態とは、造影剤を用いた検査や手術において、その造影剤の血管への流入状態を表す。造影状態には、複数の造影タイミングが含まれる。複数の造影タイミングは、たとえば、造影剤の投与開始を起点とする時間軸における複数の座標である。
【００３１】
「収集タイミングを示す情報」は、上記の収集タイミングを識別可能に表す情報である。収集タイミングを示す情報の例を説明する。心臓の運動を監視する場合、たとえば、心電図の波形におけるＰ波、Ｑ波、Ｒ波、Ｓ波、Ｕ波等の時相を用いることができる。肺の運動を監視する場合、たとえば、呼吸モニタの波形に基づく呼気（開始、終了）、吸気（開始、終了）、休止等の時相を用いることができる。造影状態を監視する場合、たとえば、造影剤の投与開始、投与開始からの経過時間等に基づいて造影タイミングを定義できる。また、たとえば被検体Ｅの画像化領域における造影部分（血管）の輝度の変化を解析するなど、画像中の特徴領域を解析することによって造影タイミングを取得することも可能である。
【００３２】
また、周期的な運動を繰り返す臓器を撮影する場合、１周期の長さを基準として時相を定義することができる。たとえば、心臓の周期的な運動を示す心電図に基づいて１周期の長さを取得し、これを１００％と表現する。その具体例として、隣接するＲ波（先のＲ波と後のＲ波）の間隔を１００％とし、先のＲ波の時相を０％、後のＲ波の時相を１００％と表現する。そして、先のＲ波の時相と後のＲ波の時相との間の任意の時相をＴＰ％（ＴＰ＝０〜１００％）と表現する。
【００３３】
情報取得部４１２は、被検体Ｅの生体反応を検出可能なデバイス（心電計、呼吸モニタ等：図示せず）からデータを取得する。また、情報取得部４１２は、造影状態を監視するための専用のデバイスからデータを取得するか、或いは、マイクロプロセッサが有するタイマー機能を用いて造影タイミングを取得する。
【００３４】
スキャン制御部４２は、Ｘ線によるスキャンに関する動作を統合的に制御する。この統合的な制御は、高電圧発生部１４の制御と、架台駆動部１５の制御と、絞り駆動部１７の制御と、寝台装置３０の制御とを含む。高電圧発生部１４の制御は、Ｘ線発生部１１に対して所定の高電圧を所定のタイミングで印加させるように高電圧発生部１４を制御するものである。架台駆動部１５の制御は、所定のタイミング及び所定の速度で回転体１３を回転駆動させるように架台駆動部１５を制御するものである。絞り制御部１７の制御は、Ｘ線絞り部１６が所定のサイズ及び形状のスリットを形成するように絞り駆動部１７を制御するものである。寝台装置３０の制御は、所定の位置に所定のタイミングで天板を移動させるように寝台装置３０を制御するものである。なお、ボリュームスキャンでは、天板の位置を固定した状態でスキャンが実行される。また、４Ｄスキャンでは、天板の位置を固定した状態で反復的にスキャンが実行される。また、ヘリカルスキャンでは、天板を移動させながらスキャンが実行される。
【００３５】
処理部４３は、架台装置１０（データ収集部１８）から送信された検出データに対して各種処理を実行する。処理部４２は、前処理部４３１と、再構成処理部４３２と、レンダリング処理部４３３と、位置関係情報生成部４３４とを含んで構成される。
【００３６】
前処理部４３１は、架台装置１０からの検出データに対して対数変換処理、オフセット補正、感度補正、ビームハードニング補正等を含む前処理を行って、投影データを生成する。
【００３７】
再構成処理部４３２は、前処理部４３１により生成された投影データに基づいて、ＣＴ画像データ（断層画像データやボリュームデータ）を生成する。断層画像データの再構成処理としては、たとえば、２次元フーリエ変換法、コンボリューション・バックプロジェクション法等、任意の方法を適用することができる。ボリュームデータは、再構成された複数の断層画像データを補間処理することにより生成される。ボリュームデータの再構成処理としては、たとえば、コーンビーム再構成法、マルチスライス再構成法、拡大再構成法等、任意の方法を適用することができる。上述した多列のＸ線検出器を用いたボリュームスキャンにおいては、広範囲のボリュームデータを再構成することができる。
【００３８】
再構成処理は、あらかじめ設定された再構成条件に基づいて実行される。再構成条件には、様々な項目（条件項目ということがある）が含まれる。条件項目の例として、ＦＯＶ（ｆｉｅｌｄ  ｏｆ  ｖｉｅｗ）、再構成関数などがある。ＦＯＶは視野サイズを規定する条件項目である。再構成関数は、コントラスト、分解能等の画質特性などを規定する条件項目である。再構成条件は、自動で設定されてもよいし、手動で設定されてもよい。自動設定の例として、撮影部位ごとにあらかじめ設定された内容を、撮影部位の指定に対応して選択的に適用する方法がある。手動設定の例として、所定の再構成条件設定画面を表示部４５に表示させ、操作部４６を用いて再構成条件設定画面を操作する方法がある。ＦＯＶの設定は、投影データに基づく画像やスキャノグラムを参照して行われる。また、所定のＦＯＶを自動的に設定することもできる（たとえばスキャン範囲全体をＦＯＶとして設定する場合）。
【００３９】
レンダリング処理部４３３は、たとえば、ＭＰＲ処理とボリュームレンダリングを実行可能である。ＭＰＲ処理は、再構成処理部４２ｂにより生成されたボリュームデータに任意の断面を設定してレンダリング処理を施すことにより、この断面を表すＭＰＲ画像データを生成する画像処理である。ボリュームレンダリングは、任意の視線（レイ）に沿ってボリュームデータをサンプリングし、その値（ＣＴ値）を加算していくことにより、被検体Ｅの３次元領域を表す擬似的３次元画像データを生成する画像処理である。
【００４０】
位置関係情報生成部４３４は、データ収集部１８から出力された検出データに基づいて、画像の間の位置関係を表す位置関係情報を生成する。位置関係情報は、再構成条件が異なる複数の画像、特にＦＯＶが異なる複数の画像が形成される場合に生成される。
【００４１】
ＦＯＶを含む再構成条件が設定されると、再構成処理部４３２は、設定されたＦＯＶに対応する投影データのデータ領域を特定し、このデータ領域と他の再構成条件とに基づいて再構成処理を実行する。それにより、設定されたＦＯＶのボリュームデータが生成される。位置関係情報生成部４３４は、このデータ領域の位置情報を取得する。
【００４２】
異なる再構成条件に基づく２以上のボリュームデータが生成されると、各ボリュームデータに関する位置情報が得られる。これら２以上の位置情報を互いに対応付けることが可能である。その具体例として、投影データ全体に対してあらかじめ定義された座標系に基づく座標を位置情報として用いる。それにより、２以上のボリュームデータの位置を同じ座標系の座標で表現することができる。これら座標（の組み合わせ）が、これらボリュームデータの位置関係情報となり、更にはこれらボリュームデータをレンダリングして得られる２以上の画像の位置関係情報となる。
【００４３】
投影データの代わりにスキャノグラムを用いて位置関係情報を生成することも可能である。この場合においても投影データの場合と同様に、スキャノグラム全体にあらかじめ定義された座標系の座標を用いて、スキャノグラムを参照して設定されたＦＯＶを表現することにより、位置関係情報を生成できる。この処理は、ボリュームスキャンの場合だけでなく他のスキャン態様（ヘリカルスキャン等）の場合においても適用可能である。
【００４４】
記憶部４４は、検出データ、投影データ、再構成処理後の画像データ等を記憶する。表示部４５は、ＬＣＤ（Ｌｉｑｕｉｄ  Ｃｒｙｓｔａｌ  Ｄｉｓｐｌａｙ）等の表示デバイスによって構成される。操作部４６は、Ｘ線ＣＴ装置１に対する各種の指示入力や情報入力に用いられる。操作部４６は、たとえばキーボード、マウス、トラックボール、ジョイスティック等により構成される。また、操作部４６は、表示部４５に表示されたＧＵＩ（Ｇｒａｐｈｉｃａｌ  Ｕｓｅｒ  Ｉｎｔｅｒｆａｃｅ）を含んでいてもよい。
【００４５】
［動作］
この実施形態に係るＸ線ＣＴ装置１の動作について説明する。以下、次の３つの動作を説明する：（１）データの収集及び再構成処理；（２）収集タイミングに基づく表示動作（つまり時相を考慮した表示動作）；（３）画像間の位置関係も考慮した表示動作（つまりＦＯＶも考慮した表示動作）。ここで、（２）に示す複数の動作例と（３）に示す複数の動作例とを任意に組み合わせることが可能である。
【００４６】
〔データの収集及び再構成処理〕
この実施形態では４Ｄスキャンが行われる。４Ｄスキャンにより得られた投影データの例を図２に示す。投影データＰＤには、複数の収集タイミングＴ１〜Ｔｎに対応する複数の投影データＰＤ１〜ＰＤｎが含まれている。たとえば心臓の撮影においては、複数の心時相に対応する投影データが含まれる。
【００４７】
再構成処理部４３２は、各投影データＰＤｉ（ｉ＝１〜ｎ）に対して再構成処理を施すことで、各収集タイミングＴｉに対応するボリュームデータＶＤｉを形成する（図２を参照）。
【００４８】
以下の動作例では、このようにして得られた収集タイミングが異なる複数のボリュームデータＶＤｉに基づく画像について、それらの間の時間的な関係や位置的な関係を容易に把握することを可能にする表示態様を説明する。
【００４９】
〔収集タイミングに基づく表示動作〕
収集タイミングが異なる複数のボリュームデータに基づく画像の間の時間的な関係を明示するための表示態様について、第１〜第３の動作例を説明する。これら動作例においては次の２点が共通する：（１）架台装置１０によるデータの連続的な収集における複数の収集タイミングＴ１〜Ｔｎを示す時系列情報を表示部４５に表示させる；（２）この時系列情報に基づき各収集タイミングＴｉを提示する。
【００５０】
第１の動作例では、時系列情報として時間軸を示す画像（時間軸画像）を適用し、この時間軸画像における座標を用いて各収集タイミングＴｉを提示する場合について説明する。第２の動作例では、時系列情報として臓器の時相を示す情報（時相情報）を適用し、時相情報の提示態様によって各収集タイミングＴｉを提示する場合について説明する。第３の動作例では、造影剤を用いる撮影において、造影状態の時系列変化における様々なタイミング（造影タイミング）を示す情報（造影情報）を時系列情報として適用し、造影情報の提示態様によって各収集タイミングＴｉを提示する場合について説明する。
【００５１】
〔第１の動作例〕
この動作例は、時間軸画像を用いて収集タイミングＴｉを提示するものである。複数の収集タイミングＴｉと複数のボリュームデータＶＤｉについては、情報取得部４１２により取得された収集タイミングを示す情報を用いて対応付けることができる。この対応付けは、レンダリング処理部４１３が各ボリュームデータＶＤｉから形成する画像（ＭＰＲ画像等）にも継承される。
【００５２】
表示制御部４１１は、この対応付けに基づいて、図３に示す画面１０００を表示部４５に表示させる。画面１０００には時間軸画像Ｔが提示される。時間軸画像Ｔは、架台装置１０によるデータの収集時間の流れを示す。また、表示制御部４１１は、時間軸画像Ｔ上に、各収集タイミングＴｉに対応する座標位置を示す点画像を表示させる。更に、表示制御部４１１は、各点画像の下方近傍に、その収集タイミングを示す文字列「Ｔｉ」を表示させる。点画像と文字列との組み合わせが、収集タイミングを示す情報Ｄｉに相当する。
【００５３】
また、表示制御部４１１は、各情報Ｄｉの上方近傍に、その情報Ｄｉに示す収集タイミングで得られたデータに基づくボリュームデータＶＤｉをレンダリングして得られた画像Ｍｉを表示させる。この画像はサムネイルであってもよい。その場合、表示制御部４１１は、レンダリングにより得られた各画像を縮小してサムネイルを作成する処理を行う。
【００５４】
このような表示態様によれば、座標軸画像Ｔ上の点画像と文字列との組み合わせからなる情報Ｄｉにより、どのようなタイミングでデータが収集されたか把握できる。更に、情報Ｄｉと画像Ｍｉとの対応関係により、複数の画像Ｍｉがどのように時間的に関係しているか一目で把握することができる。
【００５５】
上記の例では全ての収集タイミングに対応する画像又はサムネイル（画像等と呼ぶ）を時系列に沿って並べて表示させているが、これら画像等のうちの一部（１つ以上の画像等）を表示させるようにしてもよい。その場合、ユーザが操作部４６を用いて座標軸画像Ｔ上の座標位置を指定したことに対応し、表示制御部４１１が、その座標位置に対応する画像等を上記対応付けに基づいて選択して表示させるように構成できる。
【００５６】
〔第２の動作例〕
この動作例は、臓器の時相情報の提示態様によって各収集タイミングＴｉを提示するものである。以下、心臓の周期的な運動の時相をＴＰ％（ＴＰ＝０〜１００％）で表現する場合について説明するが、心臓の運動におけるＰ波、Ｑ波、Ｒ波、Ｓ波、Ｕ波等の時相を示す情報（文字列、画像等）を画像とともに表示させたり、肺の運動における呼気（開始、終了）、吸気（開始、終了）、休止等の時相を示す情報（文字列、画像等）を表示させたり、第１の動作例のように時間軸画像を用いて時相を表示させたりすることも可能である。なお、各時相と画像との対応付けは、情報取得部４１２によって取得された収集タイミングを示す情報を用いてなされる。
【００５７】
この動作例において、表示制御部４１１は、図４に示す画面２０００を表示させる。画面２０００には、画像表示部２１００と、時相表示部２２００とが設けられている。表示制御部４１１は、複数のボリュームデータＶＤ１〜ＶＤｎに基づく画像Ｍ１〜Ｍｎを画像表示部２１００に選択的に表示させる。これら画像Ｍ１〜Ｍｎは、同じ断面位置におけるＭＰＲ画像、又は同じ視点でボリュームレンダリングして得られた擬似的３次元画像であるとする。
【００５８】
時相表示部２２００には、心臓の運動１周期に相当する期間を示す期間バー２２１０が設けられている。期間バー２２１０の長手方向には、０％から１００％の時相が割り当てられている。期間バー２２１０の内部には、期間バー２２１０の長手方向に沿ってスライド可能なスライド部２２２０が設けられている。ユーザは、操作部４６を用いてスライド部２２２０の位置を変更することができる。この操作は、たとえばマウスによるドラッグ操作である。
【００５９】
スライド部２２２０が移動されると、表示制御部４１１は、その移動後の位置に対応する収集タイミング（時相）の画像Ｍｉを特定し、この画像Ｍｉを画像表示部２１００に表示させる。それにより、所望の時相の画像Ｍｉを容易に表示させることができる。また、スライド部２２２０の位置と、画像表示部２１００に表示されている画像Ｍｉとを参照することにより、時相と画像との対応関係を容易に把握することができる。
【００６０】
他の表示例として、表示制御部４１１は、画像表示部２１００に複数の画像Ｍｉを時系列に沿って順次に切り替え表示させつつ、画像と時相との対応関係を基に当該切り替え表示に同期させてスライド部２２２０を移動表示させることができる。この場合の画像表示は、動画表示又はスライドショー表示である。また、操作部４６を用いた操作に応じて、切り替え表示を停止／再開させたり、切り替え速度を変更させたり、時系列の逆方向に画像を切り替え表示させたり、任意の時相の画像の表示にジャンプさせたり、０％〜１００％の間の任意の部分期間に限定して表示させたり、繰り返し表示させたりすることも可能である。この表示例によれば、切り替え表示される画像Ｍｉとその時相との対応関係を容易に把握することができる。
【００６１】
〔第３の動作例〕
この動作例は、造影タイミングを示す造影情報の提示態様によって各収集タイミングＴｉを提示するものである。造影情報の提示方法としては、たとえば、第１の動作例と同様に時間軸画像上の座標位置として提示させたり、第２の動作例と同様に期間バー及びスライド部を用いて提示させたり、造影タイミングを示す文字列や画像等を用いて提示させたりすることが可能である。以下、時間軸画像を用いる場合の例を説明する。
【００６２】
時間軸画像を用いて造影情報を提示する画面の例を図５に示す。画面３０００には時間軸画像Ｔが提示される。時間軸画像Ｔは、造影剤を用いた撮影におけるデータの収集時間の流れを示す。また、表示制御部４１１は、時間軸画像Ｔ上に、各造影タイミングに対応する座標位置を示す点画像を表示させる。更に、表示制御部４１１は、各点画像の下方近傍に、造影タイミングを含む収集タイミングを示す文字列を表示させる。この例では、収集タイミングを示す文字列として、「撮影開始」、「造影開始」、「造影終了」及び「撮影終了」が表示されている。点画像と文字列との組み合わせが、収集タイミング（造影タイミングを含む）を示す情報Ｈｉに相当する。
【００６３】
また、表示制御部４１１は、各情報Ｈｉの上方近傍に、その情報Ｈｉに示す収集タイミングで得られたデータに基づくボリュームデータＶＤｉをレンダリングして得られた画像Ｍｉを表示させる。この画像はサムネイルであってもよい。その場合、表示制御部４１１は、レンダリングにより得られた各画像を縮小してサムネイルを作成する処理を行う。
【００６４】
このような表示態様によれば、座標軸画像Ｔ上の点画像と文字列との組み合わせからなる情報Ｈｉにより、どのようなタイミングでデータが収集されたか、特にどのような造影タイミングでデータが収集されたかを把握できる。更に、情報Ｈｉと画像Ｍｉとの対応関係により、複数の画像Ｍｉがどのように時間的に関係しているか一目で把握することができる。
【００６５】
上記の例では全ての収集タイミングに対応する画像又はサムネイル（画像等と呼ぶ）を時系列に沿って並べて表示させているが、これら画像等のうちの一部（１つ以上の画像等）を表示させるようにしてもよい。その場合、ユーザが操作部４６を用いて座標軸画像Ｔ上の座標位置を指定したことに対応し、表示制御部４１１が、その座標位置に対応する画像等を上記対応付けに基づいて選択して表示させるように構成できる。
【００６６】
〔画像間の位置関係も考慮した表示動作〕
画像間の位置的関係及び時間的関係を考慮した表示態様について、第１〜第４の動作例を説明する。第１及び第２の動作例では、ＦＯＶが重複する２以上の画像を表示させる場合について説明する。第３の動作例では、ＦＯＶが最大の画像（大域画像）を、これに含まれるＦＯＶの画像（局所画像）の分布を表すマップとして利用する場合について説明する。第４の動作例では、再構成条件の設定内容を表示させる場合について説明する。
【００６７】
〔第１の動作例〕
この動作例は、ＦＯＶが重複する２以上の画像を重ねて表示させるものである。ここで、一方の画像は動画表示（スライドショー表示を含む）される。なお、３つ以上の画像を表示させる場合においても同様の処理が実行される。その場合、静止画表示される画像と動画表示される画像とが混在する。この動作例の流れを図６に示す。
【００６８】
（Ｓ１：４Ｄスキャン）
まず、寝台装置３０の天板に被検体Ｅを載置し、架台装置１０の開口部に挿入する。所定のスキャン開始操作がなされると、制御部４１は、スキャン制御部４２に制御信号を送る。この制御信号を受けたスキャン制御部４２は、高電圧発生部１４、架台駆動部１５及び絞り駆動部１７を制御して、被検体Ｅに対する４Ｄスキャンを実行する。Ｘ線検出部１２は、被検体Ｅを透過したＸ線を検出する。データ収集部１８は、スキャンに伴いＸ線検出器１２から逐次に生成される検出データを収集する。データ収集部１８は、収集された検出データを前処理部４３１に送る。
【００６９】
（Ｓ２：投影データの生成）
前処理部４３１は、データ収集部１８からの検出データに対して前述の前処理を施すことで、図２に示す投影データＰＤを生成する。投影データＰＤには、収集タイミング（時相）の異なる複数の投影データＰＤ１〜ＰＤｎが含まれている。各投影データＰＤｉを部分投影データと呼ぶことがある。
【００７０】
（Ｓ３：第１の再構成条件の設定）
投影データＰＤに基づいて画像を再構成するための第１の再構成条件が設定される。この設定処理にはＦＯＶの設定が含まれる。ＦＯＶの設定は、たとえば、投影データに基づく画像を参照して手動で行われる。なお、スキャノグラムを別途取得した場合には、このスキャノグラムを参照してＦＯＶを設定することができる。また、所定のＦＯＶを自動で設定することもできる。この動作例では、第１の再構成条件におけるＦＯＶは、後述の第２の再構成条件におけるＦＯＶに含まれるものとする。
【００７１】
なお、複数の部分投影データＰＤｉに対して個別に第１の再構成条件を設定してもよいし、全ての部分投影データＰＤｉに同じ第１の再構成条件を設定してもよいし、複数の部分投影データＰＤｉを２以上の群に分けて群ごとに第１の再構成条件を設定してもよい（第２の再構成条件についても同様である）。ただし、ＦＯＶについては、全ての部分投影データＰＤｉに対して同じ範囲が設定されるものとする。
【００７２】
（Ｓ４：第１のボリュームデータの生成）
再構成処理部４３２は、第１の再構成条件に基づく再構成処理を投影データＰＤｉに施すことにより、第１のボリュームデータを生成する。この再構成処理は、部分投影データＰＤｉごとに行われる。それにより、図２に示す複数のボリュームデータＶＤ１〜ＶＤｎが得られる。
【００７３】
（Ｓ５：第２の再構成条件の設定）
続いて、ステップ３と同様にして第２の再構成条件が設定される。この設定処理にもＦＯＶの設定が含まれる。前述のように、このＦＯＶは、第１の再構成条件におけるＦＯＶよりも広い範囲である。
【００７４】
（Ｓ６：第２のボリュームデータの生成）
再構成処理部４３２は、第２の再構成条件に基づく再構成処理を投影データＰＤｉに施すことにより、第２のボリュームデータを生成する。この再構成処理は、複数の投影データＰＤｉのうちの１つに対して実行される。この再構成処理が施される投影データを符号ＰＤｋで表す。
【００７５】
この投影データＰＤｋに対する２つの再構成処理の概要を図７に示す。第１の再構成条件に基づく再構成処理を投影データＰＤｋに施すことで、比較的小さなＦＯＶの第１のボリュームデータＶＤｋ（１）が得られる。更に、第２の再構成条件に基づく再構成処理に基づく再構成処理を投影データＰＤｋに施すことで、比較的大きなＦＯＶの第２のボリュームデータＶＤｋ（２）が得られる。
【００７６】
第１のボリュームデータＶＤｋ（１）のＦＯＶと第２のボリュームデータＶＤｋ（２）のＦＯＶとは重複している。この動作例では、前述のように、第１のボリュームデータＶＤｋ（１）のＦＯＶは、第２のボリュームデータＶＤｋ（２）のＦＯＶに含まれる。このような設定は、たとえば、第２のボリュームデータＶＤｋ（２）に基づく画像により広域を観察しつつ、第１のボリュームデータＶＤｋ（１）に基づく画像により注目部位（臓器、疾患部等）を観察する場合などに用いられる。
【００７７】
投影データＰＤｋの選択は任意に行われる。たとえば、ユーザが所望の時相の投影データＰＤｋを手動で選択することができる。また、所定の投影データＰＤｋを制御部４１１が自動で選択することもできる。この所定の投影データＰＤｋは、たとえば最初の投影データＰＤ１とされる。或いは、情報取得部４１２が取得した収集タイミングを示す情報に基づいて所定の収集タイミング（時相）の投影データＰＤｋを選択することも可能である。
【００７８】
（Ｓ７：位置関係情報の生成）
位置関係情報生成部４３４は、設定された各ＦＯＶのボリュームデータについての位置情報を投影データ又はスキャノグラムに基づいて取得し、取得された２つの位置情報を対応付けることにより位置関係情報を生成する。
【００７９】
（Ｓ８：ＭＰＲ画像データの生成）
レンダリング処理部４３３は、第２の再構成条件に基づき生成された広域のボリュームデータＶＤｋ（２）に基づくＭＰＲ画像データ（広域ＭＰＲ画像データ）を生成する。この広域ＭＰＲ画像データは、直交３軸画像のいずれかの画像データでもよいし、任意に設定された断面に基づくオブリーク画像の画像データでもよい。
【００８０】
また、レンダリング処理部４３３は、広域ＭＰＲ画像データと同じ断面について、第１の再構成条件に基づき生成された狭域のボリュームデータＶＤ１〜ＶＤｎのそれぞれに基づくＭＰＲ画像データ（狭域ＭＰＲ画像データ）を生成する。
【００８１】
このＭＰＲ処理により、同じ断面について、１つの広域ＭＰＲ画像データと、収集タイミングが異なる複数の狭域ＭＰＲ画像データとが得られる。
【００８２】
（Ｓ９：広域ＭＰＲ画像の静止画表示）
制御部４１は、広域ＭＰＲ画像データに基づく画像（広域ＭＰＲ画像）を表示部４５に表示させる。広域ＭＰＲ画像は静止画表示される。
【００８３】
（Ｓ１０：狭域ＭＰＲ画像の動画表示）
表示制御部４１は、ステップ７で取得された位置関係情報に基づいて、広域ＭＰＲ画像内における狭域ＭＰＲ画像の表示位置を決定する。更に、表示制御部４１１は、複数の狭域ＭＰＲ画像データに基づく複数の狭域ＭＰＲ画像を時系列に沿って順次に表示させる。つまり、狭域ＭＰＲ画像に基づく動画表示が実行される。
【００８４】
ステップ９及び１０により実現される表示態様の例を図８に示す。図８に示す画面４０００には、図４に示す画面２０００と同様の画像表示部４１００と時相表示部４２００とが設けられている。また、時相表示部４２００には期間バー４２１０とスライド部４２２０とが設けられている。表示制御部４１１は、広域ＭＰＲ画像Ｇ２を画像表示部４１００に表示させるとともに、位置関係情報に基づく広域ＭＰＲ画像内の領域に複数の狭域ＭＰＲ画像に基づく動画像Ｇ１を表示させる。
【００８５】
表示制御部４１１は、動画像を表示させるための複数の狭域ＭＰＲ画像の切り替え表示に同期させてスライド部４２２０を移動させる。また、表示制御部４１１は、スライド部４２２０に対する操作に応じて、前述のような表示制御を実行する。
【００８６】
この動作例によれば、狭域ＭＰＲ画像に基づく動画像により注目部位の状態の時系列変化を観察しつつ、その周囲の状態を広域ＭＰＲ画像Ｇ１により把握できる。
【００８７】
〔第２の動作例〕
この動作例も第１の動作例と同様に、ＦＯＶが重複する２以上の画像を表示させるものである。ここでは、ＦＯＶが異なる２つの画像を表示させる場合について説明する。３つ以上の画像を表示させる場合においても同様の処理が実行される。この動作例の流れを図９に示す。
【００８８】
（Ｓ１１：４Ｄスキャン）
まず、第１の動作例と同様にして４Ｄスキャンを実行する。
【００８９】
（Ｓ１２：投影データの生成）
前処理部４３１は、第１の動作例と同様に、データ収集部１８からの検出データに対して前述の前処理を施すことで、複数の部分投影データＰＤ１〜ＰＤｎを含む投影データＰＤを生成する。
【００９０】
（Ｓ１３：第１の再構成条件の設定）
第１の動作例と同様にして、投影データＰＤに基づいて画像を再構成するための第１の再構成条件が設定される。この設定処理にはＦＯＶの設定が含まれる。
【００９１】
（Ｓ１４：第１のボリュームデータの生成）
再構成処理部４３２は、第１の動作例と同様に、第１の再構成条件に基づく再構成処理を投影データＰＤｉに施すことにより、第１のボリュームデータを生成する。それにより、複数のボリュームデータＶＤ１〜ＶＤｎが得られる。
【００９２】
（Ｓ１５：第２の再構成条件の設定）
第１の動作例と同様にして第２の再構成条件が設定される。この設定処理にもＦＯＶの設定が含まれる。このＦＯＶは、第１の再構成条件におけるＦＯＶよりも広い範囲に設定される。
【００９３】
（Ｓ１６：第２のボリュームデータの生成）
再構成処理部４３２は、第１の動作例と同様に。第２の再構成条件に基づく再構成処理を１つの投影データＰＤｋに施すことにより、第２のボリュームデータを生成する。
【００９４】
（Ｓ１７：位置関係情報の生成）
位置関係情報生成部４３４は、第１の動作例と同様にして位置関係情報を生成する。
【００９５】
（Ｓ１８：ＭＰＲ画像データの生成）
レンダリング処理部４３３は、第１の動作例と同様にして、広域ＭＰＲ画像データと狭域ＭＰＲ画像データとを生成する。それにより、同じ断面について、１つの広域ＭＰＲ画像データと、収集タイミングが異なる複数の狭域ＭＰＲ画像データとが得られる。
【００９６】
（Ｓ１９：広域ＭＰＲ画像の静止画表示）
表示制御部４１１は、広域ＭＰＲ画像データに基づく広域ＭＰＲ画像を表示部４５に表示させる。広域ＭＰＲ画像は静止画表示される。
【００９７】
（Ｓ２０：ＦＯＶ画像の表示）
更に、表示制御部４１１は、ステップ１７で生成された位置関係情報に基づいて、広域ＭＰＲ画像内における狭域ＭＰＲ画像の位置を表すＦＯＶ画像を、広域ＭＰＲ画像に重ねて表示させる。なお、ユーザが操作部４６を用いて所定の操作を行ったことに対応してＦＯＶ画像を表示させてもよいし、広域ＭＰＲ画像が表示されている間、常にＦＯＶ画像を表示させてもよい。
【００９８】
ＦＯＶ画像の表示例を図１０に示す。画面５０００には、図４に示す画面２０００と同様の画像表示部５１００と時相表示部５２００とが設けられている。また、時相表示部５２００には期間バー５２１０とスライド部５２２０とが設けられている。表示制御部４１１は、広域ＭＰＲ画像Ｇ２を画像表示部５１００に表示させるとともに、位置関係情報に基づく広域ＭＰＲ画像内の領域にＦＯＶ画像Ｆ１を表示させる。
【００９９】
ユーザが操作部４６を用いてスライド部５２２０の位置を指定すると、表示制御部４１１は、この指定位置に対応する狭域ＭＰＲ画像Ｇ１をＦＯＶ画像Ｆ１内に表示させる。また、所定の操作がなされると、表示制御部４１１は、複数の狭域ＭＰＲ画像に基づく動画像Ｇ１をＦＯＶ画像Ｆ１内に表示させるとともに、複数の狭域ＭＰＲ画像の切り替え表示に同期させてスライド部４２２０を移動させる。また、表示制御部４１１は、スライド部４２２０に対する操作に応じて、前述のような表示制御を実行する。
【０１００】
この表示例によれば、広域ＭＰＲ画像と狭域ＭＰＲ画像との位置関係をＦＯＶ画像によって把握することができる。また、所望の収集タイミング（時相）の狭域ＭＰＲ画像を表示させることで、その収集タイミングにおける注目部位の状態とその周囲の状態とを把握できる。更に、狭域ＭＰＲ画像に基づく動画像により注目部位の状態の時系列変化を観察しつつ、その周囲の状態を広域ＭＰＲ画像Ｇ１により把握できる。
【０１０１】
他の表示例を説明する。ユーザは操作部４６を用いてＦＯＶ画像Ｆ１を指定する。この指定操作は、たとえば、マウスによるＦＯＶ画像Ｆ１のクリック操作である。なお、この動作例ではＦＯＶ画像は１つしか表示されていないが、２つ以上のＦＯＶ画像が表示される場合についても以下と同様の処理が実行される。
【０１０２】
ＦＯＶ画像Ｆ１の指定がなされると、表示制御部４１１は、ＦＯＶ画像Ｆ１に対応する狭域ＭＰＲ画像を表示部４５に表示させる。このときの表示態様は、たとえば次のいずれかである：（１）図１１Ａに示す、広域ＭＰＲ画像Ｇ２から狭域ＭＰＲ画像Ｇ１への切り替え表示；（２）図１１Ｂに示す、広域ＭＰＲ画像Ｇ２と狭域ＭＰＲ画像Ｇ１との並列表示；（３）図１１Ｃに示す、広域ＭＰＲ画像Ｇ２に対する狭域ＭＰＲ画像Ｇ１の重畳表示。
【０１０３】
狭域ＭＰＲ画像Ｇ１の表示態様は、静止画表示でも動画表示でもよい。動画表示の場合には、上記の期間バー及びスライド部などによって、動画表示における時相（収集タイミング）の変化を提示することができる。静止画表示の場合には、スライド部等を用いて指定された時相の狭域ＭＰＲ画像を選択的に表示させることができる。また、並列表示においては、広域ＭＰＲ画像Ｇ２中にＦＯＶ画像Ｆ１を表示させておいてもよいし、これを表示させないようにしてもよい。また、重畳表示においては、位置関係情報に基づいて、ＦＯＶ画像Ｆ１の位置に狭域画像Ｇ１が表示される。
【０１０４】
実行される表示態様は、あらかじめ設定されていてもよいし、ユーザにより選択可能とされていてもよい。後者の場合において、操作部４６による操作内容に応じて表示態様を切り替えるようにすることが可能である。たとえば、ＦＯＶ画像Ｆ１が右クリックされたことに対応して、表示制御部４１１は、上記３つの表示態様を提示したプルダウンメニューを表示させる。ユーザが所望の表示態様をクリックすると、表示制御部４１１はこの選択された表示態様を実行する。
【０１０５】
この表示例によれば、広域ＭＰＲ画像Ｇ１の観察から狭域ＭＰＲ画像Ｇ１の観察への移行を、所望のタイミングで、かつスムースに行うことができる。また、並列表示によれば、双方の画像の比較作業を容易に行うことができる。また、並列表示において広域ＭＰＲ画像Ｇ２内にＦＯＶ画像Ｆ１を表示させることにより、双方の画像の位置関係の把握が容易になる。また、重畳表示によれば、双方の画像の位置関係を容易に把握できる。更に、重畳表示において時相の変化を提示することにより、注目部位の状態の時間変化とその周囲の状態とを容易に把握することができる。
【０１０６】
〔第３の動作例〕
この動作例は、局所画像の分布を表すマップとして大域画像を利用するものである。ここでは、ＦＯＶが異なる２つの局所画像の分布を提示する場合について説明する。３つ以上の局所画像を表示させる場合においても同様の処理が実行される。この動作例の流れを図１２に示す。
【０１０７】
（Ｓ３１：４Ｄスキャン）
第１の動作例と同様にして４Ｄスキャンを実行する。
【０１０８】
（Ｓ３２：投影データの生成）
前処理部４３１は、第１の動作例と同様に、データ収集部１８からの検出データに対して前述の前処理を施すことで、複数の部分投影データＰＤ１〜ＰＤｎを含む投影データＰＤを生成する。
【０１０９】
（Ｓ３３：大域ボリュームデータの生成）
再構成処理部４３２は、ＦＯＶの条件項目として最大ＦＯＶが適用された再構成条件に基づいて投影データＰＤｉを再構成することにより、最大ＦＯＶのボリュームデータ（大域ボリュームデータ）を生成する。この再構成処理は、１つの投影データＰＤｋに対して実行される。
【０１１０】
（Ｓ３４：局所画像用の再構成条件の設定）
第１の動作例と同様にして、各局所画像用の再構成条件が設定される。この再構成条件におけるＦＯＶは、最大ＦＯＶの部分領域である。ここでは、第１の局所画像用の再構成条件と、第２の局所画像用の再構成条件がそれぞれ設定されるものとする。
【０１１１】
（Ｓ３５：局所ボリュームデータの生成）
再構成処理部４３２は、第１の局所画像用の再構成条件に基づく再構成処理を各投影データＰＤｉに施すことにより、第１の局所ボリュームデータを生成する。また、再構成処理部４３２は、第２の局所画像用の再構成条件に基づく再構成処理を各投影データＰＤｉに施すことにより、第２の局所ボリュームデータを生成する。第１及び第２の各局所ボリュームデータには、複数の収集タイミング（時相）Ｔ１〜Ｔｎに対応する複数のボリュームデータが含まれる。
【０１１２】
ステップ３３〜ステップ３５の処理の概要を図１３に示す。収集タイミングＴｋに対応する部分投影データＰＤｋ（ｉ＝ｋ）については、図１３に示すように、最大ＦＯＶの再構成条件（大域再構成条件）に基づく再構成処理により得られる大域ボリュームデータＶＧと、最大ＦＯＶに含まれる局所ＦＯＶの再構成条件（局所再構成条件）に基づく再構成処理により得られる局所ボリュームデータＶＬｋ（１）及びＶＬｋ（２）との３つのボリュームデータが得られる。一方、収集タイミングＴｋ以外の各収集タイミングＴｉに対応する部分投影データＰＤｉ（ｉ≠ｋ）については、大域ボリュームデータの生成は行わず、２つの局所ボリュームデータＶＬｉ（１）及びＶＬｉ（２）が得られる。それにより、１つの大域ボリュームデータＶＧと、ｎ個の局所ボリュームデータＶＬｉ（１）（ｉ＝１〜ｎ）と、ｎ個の局所ボリュームデータＶＬｉ（２）（ｉ＝１〜ｎ）とが得られる。
【０１１３】
（Ｓ３６：位置関係情報の生成）
位置関係情報生成部４３４は、設定された各ＦＯＶのボリュームデータＶＧ、ＶＬｉ（１）、ＶＬｉ（２）についての位置情報を投影データ又はスキャノグラムに基づいて取得し、取得された３つの位置情報を対応付けることにより位置関係情報を生成する。
【０１１４】
（Ｓ３７：ＭＰＲ画像データの生成）
レンダリング処理部４３３は、大域ボリュームデータＶＧに基づくＭＰＲ画像データ（大域ＭＰＲ画像データ）を生成する。この大域ＭＰＲ画像データは、直交３軸画像のいずれかの画像データでもよいし、任意に設定された断面に基づくオブリーク画像の画像データでもよい。
【０１１５】
また、レンダリング処理部４３３は、大域ＭＰＲ画像データと同じ断面について、各局所ボリュームデータＶＬｉ（１）に基づくＭＰＲ画像データ（第１の局所ＭＰＲ画像データ）と、各局所ボリュームデータＶＬｉ（２）に基づくＭＰＲ画像データ（第２の局所ＭＰＲ画像データ）とを生成する。
【０１１６】
このＭＰＲ処理により、１つの大域ＭＰＲ画像データと、収集タイミングＴ１〜Ｔｎに対応するｎ個の第１の局所ＭＰＲ画像データと、収集タイミングＴ１〜Ｔｎに対応するｎ個の第２の局所ＭＰＲ画像データとが得られる。ｎ個の第１の局所ＭＰＲ画像データは同じ断面を表し、ｎ個の第２の局所ＭＰＲ画像データは同じ断面を表す。また、これら局所ＭＰＲ画像データの断面は、大域ＭＰＲ画像データの断面に含まれる。
【０１１７】
（Ｓ３８：ＦＯＶ分布マップの表示）
表示制御部４１１は、ステップ３６で生成された位置関係情報に基づいて、大域ＭＰＲ画像データに基づくＭＰＲ画像（大域ＭＰＲ画像）における局所ＦＯＶの分布を表すマップ（ＦＯＶ分布マップ）を表示部４５に表示させる。
【０１１８】
ＦＯＶ分布マップの例を図１４に示す。このＦＯＶ分布マップは、第１の局所ＭＰＲ画像データの範囲を表す第１のＦＯＶ画像（第１の局所ＦＯＶ画像）ＦＬ１と、第２の局所ＭＰＲ画像データの範囲を表す第２のＦＯＶ画像（第２の局所ＦＯＶ画像）ＦＬ２を、大域ＭＰＲ画像ＧＧに重ねて表示させたものである。ここで、ユーザが操作部４６を用いて所定の操作を行ったことに対応して局所ＦＯＶ画像ＦＬ１、ＦＬ２を表示させてもよいし、大域ＭＰＲ画像ＧＧが表示されている間、常に局所ＦＯＶ画像ＦＬ１、ＦＬ２を表示させてもよい。
【０１１９】
（Ｓ３９：局所ＦＯＶ画像の指定）
ユーザは、所望の局所ＭＰＲ画像を表示させるために、その局所ＭＰＲ画像に対応する局所ＦＯＶ画像を操作部４６を用いて指定する。この指定操作は、たとえば、マウスによる局所ＦＯＶ画像のクリック操作である。
【０１２０】
（Ｓ４０：局所ＭＰＲ画像の表示）
局所ＦＯＶ画像の指定がなされると、表示制御部４１１は、指定された局所ＦＯＶ画像に対応する局所ＭＰＲ画像を表示部４５に表示させる。このときの表示態様は、その局所ＭＰＲ画像の静止画表示又は動画表示である。動画表示の場合には、上記の期間バー及びスライド部などによって、動画表示における時相（収集タイミング）の変化を提示することができる。静止画表示の場合には、スライド部等を用いて指定された時相の狭域ＭＰＲ画像を選択的に表示させることができる。
【０１２１】
また、局所ＭＰＲ画像の表示態様は、たとえば第２の動作例と同様の切り替え表示、並列表示又は重畳表示である。また、２つ以上のＦＯＶ画像を指定することで、２つ以上の局所ＭＰＲ画像を並べて観察することも可能である。
【０１２２】
この動作例によれば、ＦＯＶ分布マップにより様々なＦＯＶの局所ＭＰＲ画像の分布を容易に把握することができる。また、最大ＦＯＶに対応する大域ＭＰＲ画像に局所ＭＰＲ画像の分布を提示することで、スキャン範囲における局所ＭＰＲ画像の分布を把握することができる。また、ＦＯＶ分布マップ中の所望のＦＯＶを指定することで、そのＦＯＶにおける局所ＭＰＲ画像を表示させることができるので、画像閲覧作業の容易化を図ることができる。
【０１２３】
〔第４の動作例〕
この動作例は、再構成条件の設定内容を表示させるものである。ここでは、２以上の再構成条件の間において設定内容が同じ条件項目と設定内容が異なる条件項目とを異なる態様で表示させる場合について説明する。この動作例は、第１〜第３の動作例のいずれに追加することも可能である。また、これら以外の任意の動作に対してこの動作例を適用することもできる。この動作例の流れを図１５に示す。この動作例では２つの再構成条件を設定する場合について説明するが、３つ以上の再構成条件を設定する場合においても同様の処理を行うことが可能である。なお、以下の説明には、第１〜第３の動作例におけるステップと重複するものも含まれている。
【０１２４】
（Ｓ５１：再構成条件の設定）
第１の再構成条件と第２の再構成条件が設定される。各再構成条件の条件項目には、ＦＯＶと再構成関数が含まれているものとする。一例として、第１の再構成条件において、ＦＯＶは最大ＦＯＶであり、再構成関数は肺野関数であるとし、第２の再構成条件において、ＦＯＶは局所ＦＯＶであり、再構成関数は肺野関数であるとする。
【０１２５】
（Ｓ５２：設定内容が異なる条件項目の特定）
制御部４１は、第１の再構成条件及び第２の再構成関数の間において、設定内容が異なる条件項目を特定する。この動作例では、ＦＯＶが異なり、再構成関数は同じであるから、設定内容が異なる条件項目としてＦＯＶが特定される。
【０１２６】
（Ｓ５３：再構成条件の表示）
表示制御部４１１は、ステップ５２で特定された条件項目とそれ以外の条件項目とを、互いに異なる態様で表示させる。この表示処理は、たとえば、前述した各種画面の表示処理とともに実行される。
【０１２７】
この動作例を第１の動作例に適用した場合における再構成条件の表示例を図１６に示す。表示部４５には、第１の動作例の図８と同様の画面４０００が表示される。なお、図８と同様の部分は同じ符号で示すものとする。図１６に示す画面４０００における画像表示部４１００の右側近傍には、第１の条件表示領域Ｃ１と第２の条件表示領域Ｃ２が設けられている。表示制御部４１１は、狭域ＭＰＲ画像Ｇ１（の動画像）に対応する第１の再構成条件の設定内容を第１の条件表示領域Ｃ１内に表示させ、広域ＭＰＲ画像Ｇ２に対応する第２の再構成条件の設定内容を第２の条件表示領域Ｃ２内に表示させる。
【０１２８】
この動作例ではＦＯＶの設定内容が異なり、再構成関数の設定内容は同じであるから、ＦＯＶの設定内容と再構成関数の設定内容とが互いに異なる態様で提示される。図１６では、ＦＯＶの設定内容は太字かつ下線付きで提示され、再構成関数の設定内容は通常太さの字かつ下線なしで提示されている。なお、表示態様はこれに限定されるものではない。たとえば、設定内容が異なるものを網掛け表示させたり、表示色を変更させたりするなど、任意の表示態様を適用することが可能である。
【０１２９】
［作用・効果］
この実施形態に係るＸ線ＣＴ装置１の作用及び効果を説明する。
【０１３０】
Ｘ線ＣＴ装置１は、収集部（架台装置１０）と、取得部（情報取得部４１２）と、画像形成部（前処理部４３１、再構成処理部４３２及びレンダリング処理部４３３）と、生成部（位置関係情報生成部４３４）と、表示部（表示部４５）と、制御部（表示制御部４１１）とを有する。
【０１３１】
収集部は、被検体Ｅの所定部位を反復的にＸ線でスキャンしてデータを連続的に収集する。このデータ収集はたとえば４Ｄスキャンである。
【０１３２】
取得部は、連続的に収集されるデータについて、データの収集タイミングを示す情報を複数取得する。
【０１３３】
画像形成部は、連続的に収集されたデータのうち第１の収集タイミングで収集された第１のデータを第１の再構成条件で再構成して第１の画像を形成する。また、画像形成部は、第２の収集タイミングで収集された第２のデータを第２の再構成条件で再構成して第２の画像を形成する。
【０１３４】
生成部は、連続的に収集されたデータに基づいて、第１の画像と第２の画像との間の位置関係を表す位置関係情報を生成する。
【０１３５】
制御部は、生成部により生成された位置関係情報と、取得部により取得された第１の収集タイミングを示す情報及び第２の収集タイミングを示す情報とに基づいて、第１の画像と第２の画像とを表示部に表示させる。
【０１３６】
このようなＸ線ＣＴ装置１によれば、位置関係情報に基づく位置的な関係と、収集タイミングを示す情報に基づく時間的な関係とを反映させて、収集タイミングの異なる複数のボリュームデータに基づいて得られる画像を表示させることができる。したがって、ユーザは、収集タイミングの異なる複数のボリュームデータに基づく画像の間の関係を容易に把握することが可能である。
【０１３７】
制御部は、収集部によるデータの連続的な収集における複数の収集タイミングを示す時系列情報を表示部に表示させ、かつ、時系列情報に基づき第１の収集タイミング及び第２の収集タイミングのそれぞれを提示するように構成されていてもよい。これにより、ユーザは、データの収集タイミングを時系列で把握することが可能である。よって、画像の間の時間的な関係を容易に把握することが可能である。
【０１３８】
時系列情報として、時間軸を示す時間軸画像を表示させることができる。この場合、制御部は、第１の収集タイミング及び第２の収集タイミングのそれぞれに対応する時間軸画像上の座標位置を提示する。これにより、データの収集を時間軸で把握することができる。更に、座標位置の間の関係により、画像の間の時間的な関係を容易に把握することが可能である。
【０１３９】
時系列情報として、スキャン対象の臓器の運動における時相を示す時相情報を表示させることができる。この場合、制御部は、第１の収集タイミング及び第２の収集タイミングのそれぞれに対応する時相を示す時相情報を提示する。これにより、データの収集タイミングを臓器の運動の時相として把握できるので、画像の間の時間的な関係を容易に把握することが可能である。
【０１４０】
被検体に造影剤を投与してスキャンを行う場合、時系列情報として、造影タイミングを示す造影情報を表示させることができる。この場合、制御部は、第１の収集タイミング及び第２の収集タイミングのそれぞれに対応する造影タイミングを示す造影情報を提示する。これにより、造影剤を用いた撮影におけるデータの取得タイミングを造影タイミングとして把握できるので、画像の間の時間的な関係を容易に把握することが可能である。
【０１４１】
時系列情報に示す収集タイミングが操作部（操作部４６）を用いて指定されたときに、制御部は、指定された各収集タイミングで収集されたデータに基づく画像（又はそのサムネイル）を表示部に表示させることができる。これにより、所望の収集タイミングの画像を容易に参照することができる。
【０１４２】
第１の再構成条件及び前記第２の再構成条件が、互いに重複するＦＯＶを条件項目として含む場合において、次の構成を適用できる：画像形成部が、第１の画像として、時系列に沿う複数の画像を形成する；制御部が、互いに重複するＦＯＶに基づいて、複数の画像に基づく動画像と第２の画像とを重ねて表示させる。これにより、或るＦＯＶ（特に注目領域）についてはその状態の時系列変化を動画像で観察でき、他のＦＯＶについてはその状態を静止画像として観察できる。
【０１４３】
これに加えて、制御部は、動画像を表示させるための複数の画像の切り替え表示に同期させて、当該複数の画像に対応する複数の収集タイミングを示す情報を切り替え表示させることができる。これにより、収集タイミングの推移と動画像の推移との対応を容易に把握することができる。
【０１４４】
第１の再構成条件と第２の再構成条件が、互いに重複するＦＯＶを条件項目として含む場合において、制御部は、第１の画像に代えてそのＦＯＶを表すＦＯＶ画像を、第２の画像に重ねて表示させることができる。これにより、第２の画像と第１の画像との位置的な関係を容易に把握することができる。
【０１４５】
更に、操作部を用いてＦＯＶ画像が指定されたときに、制御部は、第１の画像を表示部に表示させることができる。これにより、第１の画像を所望のタイミングで閲覧することができる。
【０１４６】
これに加えて、操作部を用いてＦＯＶ画像が指定されたときに、制御部は次のいずれかの表示制御を実行することができる：第２の画像から第１の画像への切り替え表示；第１の画像と第２の画像との並列表示；第１の画像と第２の画像との重畳表示。これにより、双方の画像の閲覧を好適に行うことができる。
【０１４７】
ＦＯＶ画像を常時表示させることもできるが、ユーザの要求に対応してＦＯＶ画像を表示させるように構成することも可能である。その場合、制御部は、表示部に第２の画像が表示されているときに操作部が操作（クリック等）されたことに対応して、ＦＯＶ画像を第２の画像に重ねて表示させるように構成される。これにより、第１の画像の位置を確認したいときやその閲覧を望んだときにのみＦＯＶ画像を表示させることができるので、第２の画像の閲覧をＦＯＶ画像が邪魔することがない。
【０１４８】
最大ＦＯＶの画像を局所画像の分布を表すマップとして使用することができる。そのための構成例として、画像形成部は、ＦＯＶの条件項目の設定内容として最大ＦＯＶを含む第３の再構成条件で再構成を行うことにより第３の画像を形成する。そして、制御部４１は、第１の画像のＦＯＶ画像及び第２の画像のＦＯＶ画像を第３の画像に重ねて表示させる。このようなＦＯＶ分布マップを表示させることにより、任意の再構成条件で得られた画像が、最大ＦＯＶ内においてどのように分布しているか容易に把握することができる。なお、この構成を適用する場合においても、ユーザが要求したときにのみＦＯＶ画像を表示させるように構成することが可能である。また、第３の画像上に表示されたいずれかのＦＯＶ画像がユーザにより指定されたことに対応して、そのＦＯＶ画像に対応するＣＴ画像を表示させるように構成することも可能である。
【０１４９】
ＦＯＶに関する設定内容だけでなく任意の再構成条件を表示させることもできる。その場合、異なる再構成条件の間において設定内容が互いに異なる条件項目がある場合に、その条件項目の設定内容を他の条件項目の設定内容と異なる態様で表示させることが可能である。それにより、ユーザは、設定内容が同じであるか異なっているかを容易に認識できる。
【０１５０】
本診断において用いられるＦＯＶを一覧表示させることも可能である。この例は、上記のように或るＣＴ画像（第３の画像）上に他のＣＴ画像のＦＯＶ画像を表示させるものではなく、本診断で用いられる全ての又は一部のＦＯＶを一覧表示させるものである。そのための構成例として次のものがある。第１の再構成条件及び第２の再構成条件のそれぞれは、条件項目としてＦＯＶを含んでいる。制御部４１は、第１の画像のＦＯＶを表すＦＯＶ情報及び第２の画像のＦＯＶを表すＦＯＶ情報のＦＯＶ一覧情報を表示部４５に表示させる。これにより、本診断で用いられるＦＯＶがどのように分布しているか容易に把握することが可能である。この場合において、各臓器の模擬的な画像（輪郭画像等）をＦＯＶ画像とともに表示させることにより、各ＦＯＶの（大まかな）位置を認識できるようにしてもよい。また、ユーザが操作部４６を用いてＦＯＶ情報を指定すると、制御部４１は、指定されたＦＯＶに対応するＣＴ画像を表示部４５に表示させるように構成できる。各ＦＯＶ情報は、たとえば最大ＦＯＶに相当するサイズの表示領域内に表示される。
【０１５１】
本診断で用いられる一部のＦＯＶを一覧表示させる場合において、たとえば臓器ごとにＦＯＶを分類し、指定された臓器に関するＦＯＶのみを選択的に表示させることが可能である。その具体例として、胸部の診断で適用される全てのＦＯＶを肺に関するＦＯＶの群と心臓に関するＦＯＶの群とに分類し、ユーザ等による指定に応じて各群を選択的に（排他的に）表示させることが可能である。また、ＦＯＶ以外の再構成条件の設定内容に応じてＦＯＶを分類し、指定された設定内容のＦＯＶのみを選択的に表示させることが可能である。その具体例として、条件項目「再構成関数」において、全てのＦＯＶを設定内容「肺野関数」のＦＯＶの群と「縦隔関数」のＦＯＶの群とに分類し、ユーザ等による指定に応じて各群を選択的に（排他的に）表示させることが可能である。
【０１５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５３】
１  Ｘ線ＣＴ装置
１０  架台装置
１１  Ｘ線発生部
１２  Ｘ線検出部
１３  回転体
１４  高電圧発生部
１５  架台駆動部
１６  Ｘ線絞り部
１７  絞り駆動部
１８  データ収集部
３０  寝台装置
４０  コンソール装置
４１  制御部
４１１  表示制御部
４１２  情報取得部
４２  スキャン制御部
４３  処理部
４３１  前処理部
４３２  再構成処理部
４３３  レンダリング処理部
４３４  位置関係情報生成部
４４  記憶部
４５  表示部
４６  操作部
【図１】
2013172793.tif 000003
【図２】
2013172793.tif 000004
【図３】
2013172793.tif 000005
【図４】
2013172793.tif 000006
【図５】
2013172793.tif 000007
【図６】
2013172793.tif 000008
【図７】
2013172793.tif 000009
【図８】
2013172793.tif 000010
【図９】
2013172793.tif 000011
【図１０】
2013172793.tif 000012
【図１１Ａ】
2013172793.tif 000013
【図１１Ｂ】
2013172793.tif 000014
【図１１Ｃ】
2013172793.tif 000015
【図１２】
2013172793.tif 000016
【図１３】
2013172793.tif 000017
【図１４】
2013172793.tif 000018
【図１５】
2013172793.tif 000019
【図１６】
2013172793.tif 000020